【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
携帯電子機器及び情報家電機器と通信回線を介して接続され、前記情報家電機器との間のセッションを識別するセッション識別子を生成するセッション識別子生成手段と、
前記セッション識別子生成手段により生成された前記セッション識別子を前記情報家電機器へ送信するセッション識別子送信手段と、
前記携帯電子機器により送信された情報であって、前記セッション識別子及びユーザを識別するユーザ識別子を含むユーザ認証情報を受信するユーザ認証情報受信手段と、
前記ユーザ認証情報受信手段により受信した前記ユーザ認証情報及び前記セッション識別子生成手段により生成した前記セッション識別子に基づいて前記ユーザの認証を行う認証手段と、
前記携帯電子機器又は前記情報家電機器から画面の要求を受信する画面要求受信手段と、
前記携帯電子機器又は前記情報家電機器を識別する機器識別情報に基づいて、前記携帯電子機器又は前記情報家電機器の画面を他の携帯電子機器又は情報家電機器に表示するための画面共有情報を記憶する記憶手段と、
前記記憶手段に記憶した前記画面共有情報に基づいて、前記携帯電子機器又は前記情報家電機器から要求された画面を表示する前記携帯電子機器又は前記情報家電機器を特定する特定手段と、
前記携帯電子機器又は前記情報家電機器の前記画面を取得する画面取得手段と、
前記特定手段により特定された前記携帯電子機器又は前記情報家電機器に前記画面取得手段により取得した前記画面を表示出力させるために送信する転送手段とを備えることを特徴とする画面共有サーバ。
【請求項２】
前記認証手段により認証された前記ユーザから前記画面共有情報の更新要求を受信したことに応じて、前記記憶手段に記憶した前記画面共有情報を更新する更新手段をさらに備えることを特徴とする請求項１に記載の画面共有サーバ。
【請求項３】
携帯電子機器と、情報家電機器と、前記携帯電子機器及び前記情報家電機器を識別する機器識別情報とに基づいて前記携帯電子機器及び前記情報家電機器を管理する内部管理サーバと、通信回線を介して接続された画面共有サーバとを含み、
前記画面共有サーバは、
前記情報家電機器との間のセッションを識別するセッション識別子を生成するセッション識別子生成手段と、
前記セッション識別子生成手段により生成された前記セッション識別子を前記情報家電機器へ送信するセッション識別子送信手段と、
前記携帯電子機器により送信された情報であって、前記セッション識別子及びユーザを識別するユーザ識別子を含むユーザ認証情報を受信するユーザ認証情報受信手段と、
前記ユーザ認証情報受信手段により受信した前記ユーザ認証情報及び前記セッション識別子生成手段により生成した前記セッション識別子に基づいて前記ユーザの認証を行う認証手段とを備え、
前記内部管理サーバは、
前記携帯電子機器又は前記情報家電機器から画面の要求を受信する画面要求受信手段と、
前記携帯電子機器又は前記情報家電機器の画面を他の携帯電子機器又は情報家電機器が表示するための画面共有情報を記憶する記憶手段と、
前記記憶手段に記憶した前記画面共有情報に基づいて、前記携帯電子機器又は前記情報家電機器から要求された画面を出力する前記携帯電子機器又は前記情報家電機器を特定する特定手段と、
前記携帯電子機器又は前記情報家電機器に対して配信される画面を取得する画面取得手段と、
前記特定手段により特定した前記携帯電子機器又は前記情報家電機器に、前記画面取得手段により取得した前記画面を表示させるために送信する転送手段とを備えることを特徴とする画面共有システム。
【請求項４】
前記内部管理サーバは、
前記認証手段により認証された前記ユーザから前記画面共有情報の更新要求を受信したことに応じて、前記記憶手段に記憶した前記画面共有情報を更新する更新手段をさらに備えることを特徴とする請求項３に記載の画面共有システム。
【請求項５】
携帯電子機器及び情報家電機器と通信回線を介して接続される画面共有サーバが画面共有を行う方法であって、
前記情報家電機器との間のセッションを識別するセッション識別子を生成するセッション識別子生成ステップと、
前記セッション識別子生成ステップにおいて生成された前記セッション識別子を前記情報家電機器へ送信するセッション識別子送信ステップと、
前記携帯電子機器により送信された情報であって、前記セッション識別子及びユーザを識別するユーザ識別子を含むユーザ認証情報を受信するユーザ認証情報受信ステップと、
前記ユーザ認証情報受信ステップにおいて受信した前記ユーザ認証情報及び前記セッション識別子生成ステップにおいて生成した前記セッション識別子に基づいて前記ユーザの認証を行う認証ステップと、
前記携帯電子機器又は前記情報家電機器から画面の要求を受信する画面要求受信ステップと、
前記携帯電子機器又は前記情報家電機器を識別する機器識別情報に基づいて、前記携帯電子機器又は前記情報家電機器の画面を他の携帯電子機器又は情報家電機器が表示するための画面共有情報に基づいて、前記携帯電子機器又は前記情報家電機器から要求された画面を表示する前記携帯電子機器又は前記情報家電機器を特定する特定ステップと、
前記携帯電子機器又は前記情報家電機器に対して配信される画面を取得する画面取得ステップと、
前記特定ステップにおいて特定した前記携帯電子機器又は前記情報家電機器に前記画面取得ステップにおいて取得した前記画面を表示させるために送信する転送ステップとを備えることを特徴とする画面共有方法。
【請求項６】
携帯電子機器及び情報家電機器と通信回線を介して接続された、画面共有サーバ及び前記情報家電機器を管理する内部管理サーバが画面共有を行う方法であって、
前記画面共有サーバは、前記情報家電機器との間のセッションを識別するセッション識別子を生成するセッション識別子生成ステップと、
前記セッション識別子生成ステップにおいて生成された前記セッション識別子を前記情報家電機器へ送信するセッション識別子送信ステップと、
前記携帯電子機器により送信された情報であって、前記セッション識別子及びユーザを識別するユーザ識別子を含むユーザ認証情報を受信するユーザ認証情報受信ステップと、
前記ユーザ認証情報受信ステップにおいて受信した前記ユーザ認証情報及び前記セッション識別子生成ステップにおいて生成した前記セッション識別子に基づいて前記ユーザの認証を行う認証ステップとを含み、
前記内部管理サーバは、前記携帯電子機器又は前記情報家電機器から画面の要求を受信する画面要求受信ステップと、
前記携帯電子機器又は前記情報家電機器を識別する機器識別情報に基づいて、前記携帯電子機器又は前記情報家電機器の画面を他の携帯電子機器又は情報家電機器が表示するための画面共有情報に基づいて、前記携帯電子機器又は前記情報家電機器から要求された画面を表示する前記携帯電子機器又は前記情報家電機器を特定する特定ステップと、
前記携帯電子機器又は前記情報家電機器の画面を取得する画面取得ステップと、
前記特定ステップにおいて特定された前記携帯電子機器又は前記情報家電機器に、前記画面取得ステップにおいて取得した前記画面を表示させるために送信する転送ステップとを含むことを特徴とする画面共有方法。
【手続補正２】
【補正対象書類名】明細書
【補正対象項目名】全文
【補正方法】変更
【補正の内容】
【発明の詳細な説明】
【発明の名称】画面共有サーバ、画面共有システム及び画面共有方法
【技術分野】
【０００１】
本発明は、画面共有サーバ、画面共有システム及び画面共有方法に関する。
【背景技術】
【０００２】
近年、デジタルテレビ等の家電製品ではネットワークに接続して静止画や動画を閲覧することが可能となっている。また、ネットワーク上のサーバに個人的な画像データ等をアップロードし、必要な時にサーバにアクセスして画像データ等を閲覧するサービスが提供されている。このようなサーバにアクセスするためには、通常、ユーザＩＤやパスワードによって認証処理を行うことで、そのユーザがアクセスする権限のある画像データのみ閲覧等することができるようになっている。そこで、従来のパソコンや携帯電話等のみならず、デジタルテレビ等の家電製品によってこのようなサービスを利用するための仕組みが様々に考えられている。
【０００３】
例えば、情報家電端末から携帯電話端末に対して機器ＩＤを転送し、携帯電話端末から利用者ＩＤと機器ＩＤとを認証サーバに送信して認証を行う方法が開示されている（例えば、特許文献１参照）。
【特許文献１】特開２００５−３２３０７０号公報
【発明の開示】
【発明が解決しようとする課題】
【０００４】
しかしながら、アクセス制限のあるコンテンツを情報家電で取得する場合には、ネットワーク上のサーバがコンテンツを提供する際に、この情報家電を認証するためのセッションＩＤを情報家電へ送信する必要があるが、情報家電は、ユーザの識別やセッション管理等に用いるＣｏｏｋｉｅ（ＨＴＴＰ  ｃｏｏｋｉｅ）を有しない場合もあり、このような場合にはユーザ認証を行うことができないという問題点があった。
【０００５】
また、情報家電がネットワーク上で取得した画面を出力する場合に限らず、一の情報家電の画面を他の情報家電では、表示することができないという問題点もあった。
【０００６】
そこで、本発明は、Ｃｏｏｋｉｅを有しない情報家電であってもユーザ認証を行うことができ、一の情報家電で取得した画面の画面を含めて、当該画面を他の情報家電においても表示することができる画面共有サーバ、画面共有システム及び画面共有方法を提供することを目的とする。
【課題を解決するための手段】
【０００７】
本発明では、以下のような解決手段を提供する。
【０００８】
（１）携帯電子機器（例えば、後述の携帯電子機器３０）及び情報家電機器（例えば、後述の情報家電機器１０）と通信回線（例えば、後述の外部ネットワーク４０、内部ネットワーク９０）を介して接続され、前記情報家電機器との間のセッションを識別するセッション識別子（例えば、後述のセッションＩＤ）を生成するセッション識別子生成手段（例えば、後述のセッションＩＤ生成手段２１１）と、前記セッション識別子生成手段により生成された前記セッション識別子を前記情報家電機器へ送信するセッション識別子送信手段（例えば、後述のセッションＩＤ送信手段２１２）と、前記携帯電子機器により送信された情報であって、前記セッション識別子及びユーザを識別するユーザ識別子（例えば、後述のユーザＩＤ）を含むユーザ認証情報（例えば、後述のセッションＩＤ、機器ＩＤ、ユーザＩＤ、パスワード）を受信するユーザ認証情報受信手段（例えば、後述のユーザ認証情報受信手段２１３）と、前記ユーザ認証情報受信手段により受信した前記ユーザ認証情報及び前記セッション識別子生成手段により生成した前記セッション識別子に基づいて前記ユーザの認証を行う認証手段（例えば、後述の認証手段２１４）と、前記携帯電子機器又は前記情報家電機器から画面（例えば、後述の画面）の要求を受信する画面要求受信手段（例えば、後述の画面要求受信手段２１５）と、前記携帯電子機器又は前記情報家電機器を識別する機器識別情報に基づいて、前記携帯電子機器又は前記情報家電機器の画面を他の携帯電子機器又は情報家電機器に表示するための画面共有情報を記憶する記憶手段（例えば、記憶手段２２０）と、前記記憶手段に記憶した前記画面共有情報に基づいて、前記携帯電子機器又は前記情報家電機器から要求された画面を表示する前記携帯電子機器又は前記情報家電機器を特定する特定手段（例えば、後述の特定手段２１６）と、前記携帯電子機器又は前記情報家電機器の画面を取得する画面取得手段（例えば、後述の画面取得手段２１７）と、前記特定手段により特定された前記携帯電子機器又は前記情報家電機器に前記画面取得手段により取得した前記画面を表示出力させるために送信する転送手段（例えば、後述の転送手段２１８）とを備えることを特徴とする画面共有サーバ（例えば、後述の認証サーバ２０）。
【０００９】
（１）の構成によれば、本発明の画面共有サーバは、携帯電子機器及び情報家電機器と通信回線を介して接続され、情報家電機器との間のセッションを識別するセッション識別子を生成し、生成されたセッション識別子を情報家電機器へ送信し、携帯電子機器により送信された情報であって、セッション識別子及びユーザを識別するユーザ識別子を含むユーザ認証情報を受信し、受信したユーザ認証情報及び生成したセッション識別子に基づいてユーザの認証を行い、携帯電子機器又は情報家電機器を識別する機器識別情報に基づいて、携帯電子機器又は情報家電機器の画面を他の携帯電子機器又は情報家電機器に表示するための画面共有情報を記憶し、記憶した画面共有情報に基づいて、携帯電子機器又は情報家電機器から要求された画面を表示する携帯電子機器又は情報家電機器を特定し、携帯電子機器又は情報家電機器の画面を取得し、特定された携帯電子機器又は情報家電機器に取得した画面を出力させるために送信する。
【００１０】
このようにして、情報家電機器のユーザの認証を、携帯電子機器を用いて行うことにより、Ｃｏｏｋｉｅを有しない情報家電機器であってもユーザの認証を行うことができる。
【００１１】
また、情報家電機器は、セッション識別子を用いてユーザ認証されているため、携帯電子機器に対してコンテンツが配信された際には、このコンテンツの画面を画面共有サーバにより情報家電機器にも表示させることができる。また、情報家電機器に対してコンテンツが配信された際には、このコンテンツの画面を携帯電子機器にも表示させることができる。さらに、各情報家電機器のステータス表示画面や設定画面等（例えば、エアコン、洗濯機、ステレオ等のステータス表示画面や、エアコンやビデオデッキの設定画面等）を他の情報家電機器や携帯電子機器で表示させることができる。
【００１２】
したがって、ユーザはいつでも身近にある情報家電機器により携帯電子機器の画面を視聴することができ、携帯電子機器により情報家電機器の画面を視認することができる。これにより、情報家電機器及び携帯電子機器の利用が促進され、情報家電機器及び携帯電子機器に広告情報を配信する配信者にとっては、広告機会が増大し、広告収益を向上させることができる。
【００１３】
また、情報家電機器及び携帯電子機器間において、出力機器を共有することができるため、情報家電機器の画面をホームネットワーク内のいずれの情報家電機器及び携帯電子機器においても共有し、いつでも呼び出して表示することができる。
【００１４】
（２）前記認証手段により認証された前記ユーザから前記画面共有情報の更新要求を受信したことに応じて、前記記憶手段に記憶した前記画面共有情報を更新する更新手段をさらに備えることを特徴とする（１）に記載の画面共有サーバ。
【００１５】
（２）の構成によれば、画面共有サーバは、情報家電機器又は携帯電子機器が有する画面共有情報を取得し、画面共有サーバが有する画面共有情報を更新することにより情報家電機器又は携帯電子機器へ好適に画面の情報を提供することができる。
【００１６】
（３）携帯電子機器と、情報家電機器と、前記携帯電子機器及び前記情報家電機器を識別する機器識別情報とに基づいて前記携帯電子機器及び前記情報家電機器を管理する内部管理サーバ（例えば、後述の内部管理サーバ８０）と、通信回線を介して接続された画面共有サーバ（例えば、後述の認証サーバ２０）とを含み、前記画面共有サーバは、前記情報家電機器との間のセッションを識別するセッション識別子を生成するセッション識別子生成手段（例えば、後述のセッションＩＤ生成手段２１１）と、前記セッション識別子生成手段により生成された前記セッション識別子を前記情報家電機器へ送信するセッション識別子送信手段（例えば、後述のセッションＩＤ送信手段２１２）と、前記携帯電子機器により送信された情報であって、前記セッション識別子及びユーザを識別するユーザ識別子を含むユーザ認証情報を受信するユーザ認証情報受信手段（例えば、後述のユーザ認証情報受信手段２１３）と、前記ユーザ認証情報受信手段により受信した前記ユーザ認証情報及び前記セッション識別子生成手段により生成した前記セッション識別子に基づいて前記ユーザの認証を行う認証手段（例えば、後述の認証手段２１４）とを備え、前記内部管理サーバは、前記携帯電子機器又は前記情報家電機器から画面の要求を受信する画面要求受信手段（例えば、後述の画面要求受信手段８１１）と、前記携帯電子機器又は前記情報家電機器の画面を他の携帯電子機器又は情報家電機器が表示するための画面共有情報を記憶する記憶手段（例えば、後述の記憶手段８２０）と、前記記憶手段に記憶した前記画面共有情報に基づいて、前記携帯電子機器又は前記情報家電機器から要求された画面を出力する前記携帯電子機器又は前記情報家電機器を特定する特定手段（例えば、後述の特定手段８１２）と、前記携帯電子機器又は前記情報家電機器に対して配信される画面を取得する画面取得手段（例えば、後述の画面取得手段８１３）と、前記特定手段により特定した前記携帯電子機器又は前記情報家電機器に、前記画面取得手段により取得した前記画面を表示させるために送信する転送手段（例えば、後述の転送手段８１４）とを備えることを特徴とする画面共有システム（例えば、後述のシステム１）。
【００１７】
（３）の構成によれば、本発明の画面共有システムは、携帯電子機器及び情報家電機器並びに携帯電子機器及び情報家電機器を識別する機器識別情報に基づいて携帯電子機器及び情報家電機器を管理する内部管理サーバと、通信回線を介して接続された画面共有サーバとを含み、画面共有サーバは、情報家電機器との間のセッションを識別するセッション識別子を生成し、生成されたセッション識別子を情報家電機器へ送信し、携帯電子機器により送信された情報であって、セッション識別子及びユーザを識別するユーザ識別子を含むユーザ認証情報を受信し、受信したユーザ認証情報及び生成したセッション識別子に基づいてユーザの認証を行い、内部管理サーバは、携帯電子機器又は情報家電機器から画面の要求を受信し、携帯電子機器又は情報家電機器の画面を他の携帯電子機器又は情報家電機器が表示するための画面共有情報を記憶し、記憶した画面共有情報に基づいて、携帯電子機器又は情報家電機器から要求された画面を出力する携帯電子機器又は情報家電機器を特定し、携帯電子機器又は情報家電機器に対して配信される画面を取得し、特定した携帯電子機器又は情報家電機器に、取得した画面を表示させるために送信する。
【００１８】
このように、情報家電機器は、セッション識別子を用いてユーザ認証されているため、携帯電子機器に対してコンテンツが配信された際には、このコンテンツの画面を内部サーバにより情報家電機器にも表示させることができる。また、情報家電機器に対してコンテンツが配信された際には、このコンテンツの画面を携帯電子機器にも表示させることができる。
【００１９】
（４）前記内部管理サーバは、前記認証手段により認証された前記ユーザから前記画面共有情報の更新要求を受信したことに応じて、前記記憶手段に記憶した前記画面共有情報を更新する更新手段をさらに備えることを特徴とする（３）に記載の画面共有システム。
【００２０】
（４）の構成によれば、内部管理サーバは、認証されたユーザから画面共有情報の更新要求を受信したことに応じて、画面共有情報を更新することにより情報家電機器又は携帯電子機器へ好適に画面の情報を提供することができる。
【００２１】
（５）携帯電子機器及び情報家電機器と通信回線を介して接続される画面共有サーバが画面共有を行う方法であって、前記情報家電機器との間のセッションを識別するセッション識別子を生成するセッション識別子生成ステップと、前記セッション識別子生成ステップにおいて生成された前記セッション識別子を前記情報家電機器へ送信するセッション識別子送信ステップと、前記携帯電子機器により送信された情報であって、前記セッション識別子及びユーザを識別するユーザ識別子を含むユーザ認証情報を受信するユーザ認証情報受信ステップと、前記ユーザ認証情報受信ステップにおいて受信した前記ユーザ認証情報及び前記セッション識別子生成ステップにおいて生成した前記セッション識別子に基づいて前記ユーザの認証を行う認証ステップと、前記携帯電子機器又は前記情報家電機器から画面の要求を受信する画面要求受信ステップと、前記携帯電子機器又は前記情報家電機器を識別する機器識別情報に基づいて、前記携帯電子機器又は前記情報家電機器の画面を他の携帯電子機器又は情報家電機器が表示するための画面共有情報に基づいて、前記携帯電子機器又は前記情報家電機器から要求された画面を表示する前記携帯電子機器又は前記情報家電機器を特定する特定ステップと、前記携帯電子機器又は前記情報家電機器に対して配信される画面を取得する画面取得ステップと、前記特定ステップにおいて特定した前記携帯電子機器又は前記情報家電機器に前記画面取得ステップにおいて取得した前記画面を表示させるために送信する転送ステップとを備えることを特徴とする画面共有方法。
【００２２】
（５）の構成によれば、（１）の画面共有サーバと同様な作用効果を奏する発明を方法として提供可能である。
【００２３】
（６）携帯電子機器及び情報家電機器と通信回線を介して接続された、画面共有サーバ及び前記情報家電機器を管理する内部管理サーバが画面共有を行う方法であって、前記画面共有サーバは、前記情報家電機器との間のセッションを識別するセッション識別子を生成するセッション識別子生成ステップと、前記セッション識別子生成ステップにおいて生成された前記セッション識別子を前記情報家電機器へ送信するセッション識別子送信ステップと、前記携帯電子機器により送信された情報であって、前記セッション識別子及びユーザを識別するユーザ識別子を含むユーザ認証情報を受信するユーザ認証情報受信ステップと、前記ユーザ認証情報受信ステップにおいて受信した前記ユーザ認証情報及び前記セッション識別子生成ステップにおいて生成した前記セッション識別子に基づいて前記ユーザの認証を行う認証ステップとを含み、前記内部管理サーバは、前記携帯電子機器又は前記情報家電機器から画面の要求を受信する画面要求受信ステップと、前記携帯電子機器又は前記情報家電機器を識別する機器識別情報に基づいて、前記携帯電子機器又は前記情報家電機器の画面を他の携帯電子機器又は情報家電機器が表示するための画面共有情報に基づいて、前記携帯電子機器又は前記情報家電機器から要求された画面を表示する前記携帯電子機器又は前記情報家電機器を特定する特定ステップと、前記携帯電子機器又は前記情報家電機器の画面を取得する画面取得ステップと、前記特定ステップにおいて特定された前記携帯電子機器又は前記情報家電機器に、前記画面取得ステップにおいて取得した前記画面を表示させるために送信する転送ステップとを含むことを特徴とする画面共有方法。
【００２４】
（６）の構成によれば、（３）の画面共有システムと同様な作用効果を奏する発明を方法として提供可能である。
【発明の効果】
【００２５】
本発明によれば、情報家電機器のユーザ認証を、携帯電子機器を用いて行うことにより、Ｃｏｏｋｉｅを有しない情報家電機器であってもセッションの認証を行うことができる。
【００２６】
また、情報家電機器は、セッション識別子を用いてユーザ認証されているため、携帯電子機器に対してコンテンツが配信された際には、このコンテンツの画面を画面共有サーバにより情報家電機器にも表示させることができる。また、情報家電機器に対してコンテンツが配信された際には、このコンテンツの画面を携帯電子機器にも表示させることができる。
【００２７】
したがって、ユーザはいつでも身近にある情報家電機器により携帯電子機器に対して配信されたコンテンツの画面を視認することができ、携帯電子機器により情報家電機器に対して配信されたコンテンツの画面を視認することができる。これにより、情報家電機器及び携帯電子機器の利用が促進され、情報家電機器及び携帯電子機器に広告情報を配信する配信者にとっては、広告機会が増大し、広告収益を向上させることができる。
【００２８】
また、情報家電機器及び携帯電子機器間において、出力機器を共有することができるため、画面をホームネットワーク内のいずれの情報家電機器及び携帯電子機器においても共有し、いつでも呼び出して表示することができる。さらに、各情報家電機器のステータス表示画面や設定画面等（例えば、エアコン、洗濯機、ステレオ等のステータス表示画面や、エアコンやビデオデッキの設定画面等）を他の情報家電機器や携帯電子機器で表示させることができる。
【００２９】
また、画面共有サーバ又は内部管理サーバは、認証されたユーザから画面共有情報の更新要求を受信したことに応じて、画面共有情報を更新することにより情報家電機器又は携帯電子機器へ好適に画面の情報を提供することができる。
【発明を実施するための最良の形態】
【００３０】
［システムの全体構成］
以下、本発明の実施形態について図面を参照しながら説明する。図１は、本発明の好適な実施形態の一例に係るシステム１の全体構成を示すブロック図である。外部サーバ（Ｗｅｂサーバ）６０は、外部ネットワーク（ＩＰネットワークを含む）４０を介して、家屋（家庭）内に配置された内部管理サーバ（ホームサーバ）８０に接続される。家庭内には端末としてディスプレイを有する情報家電機器（ホームデバイス）１０が家庭内ネットワーク（ホームネットワーク、例えば、ＤＬＮＡ（Ｄｉｇｉｔａｌ  Ｌｉｖｉｎｇ  Ｎｅｔｗｏｒｋ  Ａｌｌｉａｎｃｅ；登録商標）、ＵＰｎＰ（Ｕｎｉｖｅｒｓａｌ  Ｐｌｕｇ  ａｎｄ  Ｐｌａｙ；登録商標）、ＥＣＨＯＮＥＴ（Ｅｎｅｒｇｙ  Ｃｏｎｓｅｒｖａｔｉｏｎ  ａｎｄ  Ｈｏｍｅｃａｒｅ  Ｎｅｔｗｏｒｋ；登録商標））等によって相互に接続され、この内部ネットワーク（家庭内ネットワーク；ホームネットワーク）９０は内部管理サーバ（ホームサーバ）８０に接続されている。
【００３１】
なお、当該端末としての情報家電機器１０を相互に接続する内部ネットワーク９０は有線でも無線でもよい。また、内部管理サーバ８０を端末としての情報家電機器１０が備えるようにしてもよい。内部ネットワーク９０と外部ネットワーク４０はゲートウェイ７０等により接続されてよく、内部ネットワーク９０はＩＰネットワークを含んで構成してもよい。
【００３２】
携帯電子機器３０は、基地局５０及び外部ネットワーク４０を介して情報家電機器１０や、認証サーバ２０等に接続される。
【００３３】
なお、携帯電子機器３０は携帯電話等の携帯端末装置に限定されるものではなく、例えば、ＰＨＳ（Ｐｅｒｓｏｎａｌ  Ｈａｎｄｙ  ｐｈｏｎｅ  Ｓｙｓｔｅｍ；登録商標）、ＰＤＡ（Ｐｅｒｓｏｎａｌ  Ｄｉｇｉｔａｌ  Ａｓｓｉｓｔａｎｔ）、ポータブルナビゲーション装置、例えばノートパソコン等の携帯型パーソナルコンピュータ等であってもよい。
【００３４】
［情報家電機器及び認証サーバ並びに携帯電子機器の機能構成］
図２は、本発明の好適な実施形態の一例に係る情報家電機器１０の機能構成を示すブロック図である。
【００３５】
情報家電機器１０は、制御手段１１０と、記憶手段１２０と、通信手段１３０と、出力手段１４０とを備え、通信手段１３０を介して外部ネットワーク４０との通信が可能である。
【００３６】
各部の制御を司る制御手段１１０は、要求手段１１１と、セッションＩＤ受信手段１１２と、二次元コード生成手段１１３と、画面要求手段１１４と、画面受信手段１１５と、更新手段１１６とを備え、各種プログラムを実行したり、各種デバイスの動作についての管理や制御を行う。
【００３７】
要求手段１１１は、携帯電子機器３０の認証要求手段３１１からの認証要求を通信手段１３０により受信し、受信された認証要求に応じてセッションＩＤの発行要求を認証サーバ２０に対して通信手段１３０を介して行う。
【００３８】
セッションＩＤ受信手段１１２は、認証サーバ２０から送信されたセッションＩＤを通信手段１３０を介して受信し、受信したセッションＩＤを記憶手段１２０に記憶する。
【００３９】
二次元コード生成手段１１３は、セッションＩＤ受信手段１１２により受信されたセッションＩＤと、情報家電機器１０を識別するための機器ＩＤとを記憶手段１２０から読み出し、読み出したセッションＩＤと、機器ＩＤとを含む認証情報（第１の認証情報）として二次元コードパターンを生成する。生成された二次元コードパターンは、出力手段１４０に表示される。ここで、二次元コードパターンは、白黒の升目（セル）で情報を縦横のモザイク状に表示した画像であり、ＱＲコード（登録商標）、ＤａｔａＭａｔｒｉｘ、Ｍａｘｉ  Ｃｏｄｅ、ＰＤＦ４１７等の二次元コードの画像を含む。また、二次元コードは、スタック式又はマトリックス式のいずれの方式を用いて生成してもよい。
【００４０】
画面要求手段１１４は、携帯電子機器３０又は内部ネットワーク９０内に存在する他の情報家電機器の画面を認証サーバ２０へ要求する。このとき、セッションＩＤを認証サーバ２０へ送信することで、認証サーバ２０は、情報家電機器１０を認証することができる。
【００４１】
画面受信手段１１５は、認証サーバ２０から送信された画面を受信し、受信した画面を出力手段１４０に出力する。具体的な例としては、制御手段１１０は、画面受信手段１１５により受信された画面をＨＴＭＬに基づいて生成し、出力手段１４０に表示する。
【００４２】
更新手段１１６は、認証サーバ２０からの更新要求に応じて画面共有テーブル１２１を読み出し、通信手段１３０を介して認証サーバ２０へ送信する。
【００４３】
記憶手段１２０は、所定のデータが格納されている。具体的には、各種機能プログラムや通信時に利用されるアドレス情報等のほか、画面共有テーブル１２１、セッションＩＤ受信手段１１２により記憶されたセッションＩＤ、携帯電子機器３０の機器ＩＤ等が記憶される。なお、画面共有テーブル１２１については後述する。
【００４４】
通信手段１３０は、外部ネットワーク４０を介して情報提供先から提供される配信情報を受信し、外部ネットワーク４０を介して各種情報を送信する。
【００４５】
出力手段１４０は、二次元コード生成手段１１３により生成された二次元コードパターンの画像を表示する。出力手段１４０に表示された二次元コードパターンは、携帯電子機器３０の撮像手段３４０により撮像される。
【００４６】
図３は、本発明の好適な実施形態の一例に係る認証サーバ２０の機能構成を示すブロック図である。
【００４７】
認証サーバ２０は、制御手段２１０と、記憶手段２２０と、通信手段２３０とを備え、通信手段２３０を介して外部ネットワーク４０との通信が可能である。
【００４８】
各部の制御を司る制御手段２１０は、セッションＩＤ生成手段２１１と、セッションＩＤ送信手段２１２と、ユーザ認証情報受信手段２１３と、認証手段２１４と、画面要求受信手段２１５と、特定手段２１６と、画面取得手段２１７と、転送手段２１８と、更新手段２１９とを備え、各種プログラムを実行したり、各種デバイスの動作についての管理や制御を行う。
【００４９】
セッションＩＤ生成手段２１１は、通信手段２３０により受信された情報家電機器１０からのセッションＩＤ要求に応じて、情報家電機器１０のセッションＩＤを生成する。生成されたセッションＩＤは、セッションＩＤ送信手段２１２により通信手段２３０を介して情報家電機器１０へ送信される。
【００５０】
セッションＩＤ送信手段２１２は、セッションＩＤ生成手段２１１により生成されたセッションＩＤを通信手段２３０を介して情報家電機器１０へ送信される。
【００５１】
ユーザ認証情報受信手段２１３は、携帯電子機器３０のユーザ認証情報送信手段３１３から送信されたセッションＩＤと、機器ＩＤと、ユーザＩＤと、パスワードを含む認証情報とを受信する。受信されたセッションＩＤと、機器ＩＤと、ユーザＩＤと、パスワードとを含む認証情報は、認証手段２１４により認証される。
【００５２】
認証手段２１４は、ユーザ認証情報受信手段２１３により受信したセッションＩＤと、機器ＩＤと、ユーザＩＤと、パスワードとを含む認証情報を用いてユーザ認証を行う。これにより、情報家電機器１０がユーザ認証される。このとき、情報家電機器１０と内部ネットワーク９０により接続された内部管理サーバ８０も併せてユーザ認証される。また、認証手段２１４は、認証したセッションＩＤと、機器ＩＤと、ユーザＩＤと、パスワードとをセッションＩＤ管理テーブル２２１に格納する。これにより、認証サーバ２０は、情報家電機器１０のセッションＩＤを管理することができる。
【００５３】
なお、ユーザを識別する情報としてユーザＩＤを用いたが、これに限られず、例えば、携帯電子機器３０の記憶手段３２０に記憶されている携帯電子機器３０の機器ＩＤを用いてもよい。この場合、セッションＩＤと、携帯電子機器３０の機器ＩＤとを携帯電子機器３０から認証サーバ２０へ送信し、認証サーバ２０は、受信した携帯電子機器３０の機器ＩＤを用いてユーザを識別し、ユーザの認証を行ってもよい。
【００５４】
記憶手段２２０は、所定のデータが格納されている。具体的には、各種機能プログラムや通信時に利用されるアドレス情報等のほか、セッションＩＤ管理テーブル２２１と、画面共有テーブル２２２とが記憶される。
【００５５】
セッションＩＤ管理テーブル２２１は、図４を参照しながら説明する。セッションＩＤ管理テーブル２２１は、携帯電子機器３０と認証サーバ２０との間で確立されるセッションのセッションＩＤと、このセッションＩＤの有効期限と、情報家電機器の機器ＩＤと、携帯電子機器３０のユーザＩＤと、このユーザＩＤのパスワードとが関連付けて登録されている。制御手段２１０は、セッションＩＤ管理テーブル２２１に登録されているセッションＩＤの期限管理を行う。また、セッションＩＤ管理テーブル２２１に登録されているこれら情報は、携帯電子機器３０から送信され、認証サーバ２０の認証手段２１４により記憶手段２２０に格納される。
【００５６】
画面要求受信手段２１５は、画面要求手段１１４又は画面要求手段３１４からの画面の要求を受信し、特定手段２１６に通知する。
【００５７】
特定手段２１６は、画面共有テーブル２２２を参照して、情報家電機器１０又は携帯電子機器３０が要求する画面に係る情報家電機器１０又は携帯電子機器３０の機器ＩＤと、当該画面を表示する情報家電機器１０又は携帯電子機器３０の機器ＩＤとを特定する。
【００５８】
画面取得手段２１７は、情報家電機器１０又は携帯電子機器３０が要求する画面を含むコンテンツを外部サーバ６０等から取得する。具体的には、情報家電機器１０又は携帯電子機器３０が要求する画面を含むコンテンツのＵＲＬ（Ｕｎｉｆｏｒｍ  Ｒｅｓｏｕｒｃｅ  Ｌｏｃａｔｏｒ）を外部サーバ６０等から取得する。
【００５９】
転送手段２１８は、特定手段２１６により特定された画面を出力する機器ＩＤを有する情報家電機器１０又は携帯電子機器３０に対して、画面取得手段２１７により取得された画面を表示出力させるために送信する。
【００６０】
更新手段２１９は、情報家電機器１０又は携帯電子機器３０へ画面共有テーブル１２１又は画面共有テーブル３２１を要求し、更新要求に応じて情報家電機器１０又は携帯電子機器３０から送信された画面共有テーブル１２１又は画面共有テーブル３２１を受信し、受信した画面共有テーブル１２１又は画面共有テーブル３２１を用いて、画面共有テーブル２２２の内容を更新する。
【００６１】
図５は、本発明の好適な実施形態の一例に係る携帯電子機器３０の機能構成を示すブロック図である。
【００６２】
携帯電子機器３０は、制御手段３１０と、記憶手段３２０と、通信手段３３０と、撮像手段３４０と、入力手段３５０と、出力手段３６０とを備え、通信手段３３０を介して基地局５０との通信が可能である。
【００６３】
各部の制御を司る制御手段３１０は、認証要求手段３１１と、復号化手段３１２と、ユーザ認証情報送信手段３１３と、画面要求手段３１４と、画面受信手段３１５と、更新手段３１６とを備え、各種プログラムを実行したり、各種デバイスの動作についての管理や制御を行う。
【００６４】
認証要求手段３１１は、携帯電子機器３０を用いて情報家電機器１０のセッションＩＤの認証要求を、通信手段３３０を介して情報家電機器１０に対して行う。なお、携帯電子機器３０が情報家電機器１０に対してユーザ認証を要求する手段としては、通信手段３３０を介して外部ネットワーク４０に接続する手段に限られず、赤外線通信、Ｂｌｕｅｔｏｏｔｈ（登録商標）等により外部ネットワーク４０を介さず、情報家電機器１０と直接通信を行ってもよい。
【００６５】
復号化手段３１２は、後述の撮像手段３４０で撮像された二次元コードパターンを復号化し、二次元コードパターンから情報家電機器１０のセッションＩＤ及び機器ＩＤの文字列を取得する。
【００６６】
ユーザ認証情報送信手段３１３は、復号化手段３１２により復号化された情報家電機器１０のセッションＩＤ及び機器ＩＤと、携帯電子機器３０のユーザＩＤ及びパスワードを通信手段３３０を介して認証サーバ２０へ送信する。ここで、携帯電子機器３０のユーザＩＤ及びパスワードは、記憶手段３２０に予め記憶されており、記憶されているユーザＩＤ及びパスワードを制御手段３１０により読み出してもよく、また、ユーザが入力手段３５０を用いて入力されたユーザＩＤ及びパスワードを、制御手段３１０が受け付けてもよい。
【００６７】
画面要求手段３１４は、内部ネットワーク９０内に存在する情報家電機器１０の画面を認証サーバ２０へ要求する。このとき、セッションＩＤを認証サーバ２０へ送信することで、認証サーバ２０は、携帯電子機器３０を認証することができる。
【００６８】
画面受信手段３１５は、認証サーバ２０から送信された画面を受信し、受信した画面を出力手段３６０に表示する。
【００６９】
更新手段３１６は、認証サーバ２０からの更新要求に応じて画面共有テーブル３２１を読み出し、通信手段３３０を介して認証サーバ２０へ送信する。
【００７０】
記憶手段３２０は、所定のデータが格納されている。具体的には、各種機能プログラムや通信時に利用されるアドレス情報等のほか、撮像手段３４０により撮像された撮像画像の画像データやセッションＩＤ、機器ＩＤ、ユーザＩＤ、パスワード、画面共有テーブル３２１等が記憶される。
【００７１】
通信手段３３０は、外部ネットワーク４０を介して情報提供先から提供される配信情報を受信し、外部ネットワーク４０を介して各種情報を送信する。
【００７２】
撮像手段３４０は、情報家電機器１０の出力手段１４０に表示された二次元コードパターンを撮像し、撮像した二次元コードパターンは、復号化手段３１２により復号化される。
【００７３】
入力手段３５０は、キーボード、マウス等を備えており、入力情報は制御手段３１０の制御下で処理される。
【００７４】
出力手段３６０は、画面受信手段３１５により受信された画面を表示する。具体的な例としては、制御手段３１０は、画面受信手段３１５により受信された画面をＨＴＭＬに基づいて生成し、出力手段３６０に表示する。
【００７５】
図６は、本発明の好適な実施形態の一例に係る内部管理サーバ８０の機能構成を示すブロック図である。
【００７６】
内部管理サーバ８０は、制御手段８１０と、記憶手段８２０と、通信手段８３０とを備える。
【００７７】
制御手段８１０は、画面要求受信手段８１１と、特定手段８１２と、画面取得手段８１３と、転送手段８１４と、更新手段８１５とを備える。
【００７８】
画面要求受信手段８１１は、画面要求手段１１４からの画面要求を通信手段８３０を介して受信し、情報家電機器１０が要求する画面を特定手段８１２に通知する。
【００７９】
特定手段８１２は、後述する画面共有テーブル８２１を参照して、情報家電機器１０が要求する画面に係る情報家電機器１０又は携帯電子機器３０の機器ＩＤ（発信機器ＩＤ）と、当該画面を転送する転送先として情報家電機器１０又は携帯電子機器３０の機器ＩＤ（受信機器ＩＤ）とを特定する。
【００８０】
画面取得手段８１３は、情報家電機器１０が要求する画面を含むコンテンツを外部サーバ６０等から取得する。
【００８１】
転送手段８１４は、特定手段８１２により特定された、画面を転送する転送先の機器ＩＤを有する情報家電機器１０又は携帯電子機器３０に対して、画面取得手段８１３により取得された画面を転送する。
【００８２】
更新手段８１５は、所定の周期で情報家電機器１０又は携帯電子機器３０にアクセスして画面共有テーブル１２１又は画面共有テーブル３２１を取得し、取得した画面共有テーブル１２１又は画面共有テーブル３２１を用いて内部管理サーバ８０の有する画面共有テーブル８２１を更新する。これにより、内部管理サーバ８０は、情報家電機器１０又は携帯電子機器３０で登録した画面共有テーブル１２１又は画面共有テーブル３２１を用いて画面共有テーブル８２１を更新することで情報家電機器１０又は携帯電子機器３０へ好適に画面の情報を提供することができる。
【００８３】
記憶手段８２０は、所定のデータが格納されている。具体的には、各種機能プログラムや通信時に利用されるアドレス情報等のほか、画面共有テーブル８２１が記憶される。
【００８４】
画面共有テーブル８２１は、図７を参照しながら説明する。なお、前述の画面共有テーブル１２１、画面共有テーブル２２２及び画面共有テーブル３２１も画面共有テーブル８２１と同様の構成である。画面共有テーブル８２１は、ユーザＩＤと、画面を含むコンテンツが配信される機器（図７に示す発信機器）と、当該発信機器の機器ＩＤと、画面が転送される機器（図７に示す受信機器）と、当該受信機器の機器ＩＤとが関連付けて登録されている。また、画面共有テーブル８２１は、入力手段８４０等を用いて作成され、制御手段８１０により記憶手段８２０に格納される。又は、画面共有テーブル８２１は、情報家電機器１０や携帯電子機器３０から更新手段８１５により取得され、記憶手段８２０に格納される。
【００８５】
通信手段８３０は、ゲートウェイ７０を介して情報提供先から提供される配信情報を受信し、ゲートウェイ７０を介して各種情報を送信する。また、通信手段８３０は、内部ネットワーク９０を介して情報家電機器１０と各種情報を送受信する。
【００８６】
入力手段８４０は、キーボード、マウス等を備えており、入力情報は制御手段８１０の制御下で処理される。
【００８７】
［処理の流れ１］
ここで、情報家電機器１０と、認証サーバ２０と、携帯電子機器３０との処理の流れについて図８及び図９のフローチャートを用いて説明する。なお、本フローでは携帯電子機器３０に対して配信された画面に係る情報家電機器１０へ転送する場合について説明する。
【００８８】
まず始めに、ステップＳ１では、認証要求手段３１１は、情報家電機器１０に対して通信手段３３０を介して、情報家電機器１０のユーザ認証を要求する。なお、携帯電子機器３０が情報家電機器１０に対してユーザ認証を要求する手段としては、通信手段３３０を介して外部ネットワーク４０に接続する手段に限られず、携帯電子機器３０が有する赤外線通信、Ｂｌｕｅｔｏｏｔｈ（登録商標）等により外部ネットワーク４０を介さず、情報家電機器１０と直接通信を行ってもよい。
【００８９】
また、ユーザを認証するための認証要求は、認証要求手段３１１による認証要求に限られない。例えば、情報家電機器１０がユーザからの操作に応じて認証サーバ２０へのセッションＩＤの発行要求を送信してもよい。
【００９０】
ステップＳ２では、通信手段１３０は、携帯電子機器３０からの認証要求を受信し、要求手段１１１へ通知する。
【００９１】
ステップＳ３では、要求手段１１１は、携帯電子機器３０からの認証要求を受けて、通信手段１３０を介して認証サーバ２０へセッションＩＤの発行を要求する。
【００９２】
ステップＳ４では、通信手段２３０は、情報家電機器１０からのセッションＩＤの要求信号を受信し、セッションＩＤ生成手段２１１へ通知する。
【００９３】
ステップＳ５では、セッションＩＤ生成手段２１１は、情報家電機器１０へのセッションＩＤを生成する。
【００９４】
ステップＳ６では、セッションＩＤ送信手段２１２は、ステップＳ５で生成されたセッションＩＤを通信手段２３０を介して情報家電機器１０へ送信する。
【００９５】
ステップＳ７では、セッションＩＤ受信手段１１２は、認証サーバ２０から送信されたセッションＩＤを受信する。
【００９６】
ステップＳ８では、二次元コード生成手段１１３は、ステップＳ７で受信されたセッションＩＤと、情報家電機器１０を識別するための機器ＩＤを記憶手段１２０から読み出し、読み出したセッションＩＤ及び機器ＩＤが含まれる二次元コードパターンを生成する。
【００９７】
ステップＳ９では、出力手段１４０は、ステップＳ８で生成された二次元コードパターンを出力手段１４０に出力する。これにより、ユーザは、携帯電子機器３０の撮像手段３４０を用いて二次元コードパターンを撮像することができる。すなわち、ユーザは情報家電機器１０のセッションＩＤ及び機器ＩＤを取得することができる。
【００９８】
ここで、図１０を参照して出力手段１４０に表示される二次元コードパターンの画面表示例を説明する。図１０には、出力手段１４０に『全国の天気』の映像が表示され、画面右下にステップＳ８で生成された二次元コードパターンが表示されている。また、二次元コードパターンの上部には、『ユーザ認証用ＩＤです』として二次元コードパターンの説明が表示されている。このようにして、情報家電機器１０の出力手段１４０に二次元コードパターンが表示されることにより、ユーザは、携帯電子機器３０の撮像手段３４０を用いて二次元コードパターンを取得することができる。
【００９９】
ステップＳ１０では、撮像手段３４０により、ステップＳ９で出力手段１４０に出力された二次元コードパターンを撮像する。
【０１００】
ステップＳ１１では、復号化手段３１２は、ステップＳ１０で撮像した二次元コードパターンに所定の処理を行い、セッションＩＤと機器ＩＤの文字列に復号化する。
【０１０１】
ステップＳ１２では、ユーザ認証情報送信手段３１３は、ステップＳ１１で復号化したセッションＩＤ及び機器ＩＤと、携帯電子機器３０のユーザＩＤ及びパスワードとを認証サーバ２０へ通信手段３３０を介して送信する。
【０１０２】
ステップＳ１３では、ユーザ認証情報受信手段２１３は、ステップＳ１２で携帯電子機器３０から送信されたセッションＩＤと、機器ＩＤと、ユーザＩＤと、パスワードとを受信する。
【０１０３】
ステップＳ１４では、認証手段２１４は、ステップＳ１３で受信されたセッションＩＤ、機器ＩＤ、ユーザＩＤ及びパスワードを用いて情報家電機器１０のユーザ認証を行う。これにより、情報家電機器１０がユーザ認証される。このとき、情報家電機器１０と内部ネットワーク９０により接続された内部管理サーバ８０も併せてユーザ認証される。また、認証手段２１４は、ユーザ認証したセッションＩＤ、機器ＩＤ、ユーザＩＤ及びパスワードをセッションＩＤ管理テーブル２２１に格納する。これにより、認証サーバ２０は、情報家電機器１０のユーザ認証を管理することができる。
【０１０４】
ステップＳ１５では、画面要求手段１１４は、認証サーバ２０にセッションＩＤを送信するとともに、他の情報家電機器１０又は携帯電子機器３０の画面を要求する。
【０１０５】
ステップＳ１６では、画面要求受信手段２１５は、画面要求手段１１４による画面の要求及びセッションＩＤを受信する。また、画面要求受信手段２１５は、受信したセッションＩＤにより情報家電機器１０を認証し、ステップＳ１７へ移る。
【０１０６】
ステップＳ１７では、特定手段２１６は、画面共有テーブル２２２を参照して、情報家電機器１０が要求する画面に係る携帯電子機器３０の機器ＩＤと、当該画面を表示出力する情報家電機器１０の機器ＩＤとを特定する。
【０１０７】
ステップＳ１８では、画面取得手段２１７は、情報家電機器１０が要求する画面を外部サーバ６０等から取得する。具体的には、情報家電機器１０が要求する画面を含むコンテンツのＵＲＬ（Ｕｎｉｆｏｒｍ  Ｒｅｓｏｕｒｃｅ  Ｌｏｃａｔｏｒ）を外部サーバ６０等から取得する。
【０１０８】
ステップＳ１９では、転送手段２１８は、ステップＳ１７で特定された、画面を表示出力させる機器ＩＤを有する情報家電機器１０に対して、ステップＳ１８で取得された画面を送信する。
【０１０９】
ステップＳ２０では、画面受信手段１１５は、ステップＳ１９で送信された画面を通信手段１３０を介して受信する。
【０１１０】
ステップＳ２１では、画面受信手段１１５は、ステップＳ２０で受信した画面を出力手段１４０に表示する。
【０１１１】
このようにして、情報家電機器１０のユーザ認証を、携帯電子機器３０を用いて行うことにより、Ｃｏｏｋｉｅを有しない情報家電機器１０であってもユーザの認証を行うことができる。
【０１１２】
また、携帯電子機器３０を用いて情報家電機器１０のユーザ認証を行うため、ユーザは、簡易に情報家電機器１０の認証を行うことができる。したがって、情報家電機器１０の利用が促進され、情報家電機器１０に広告情報を配信する配信者にとっては、広告機会が増大し、広告収益を向上させることができる。
【０１１３】
また、情報家電機器１０は、セッション識別子を用いてユーザ認証されているため、携帯電子機器３０に対してコンテンツが配信された際に、当該情報家電機器１０にも携帯電子機器３０に対して配信された画面を表示出力させることができる。
【０１１４】
したがって、ユーザはいつでも身近にある情報家電機器１０の出力手段１４０により携帯電子機器３０に係る画面を視認することができる。また、情報家電機器１０の利用が促進され、情報家電機器１０に広告情報を配信する配信者にとっては、広告機会が増大し、広告収益を向上させることができる。
【０１１５】
なお、上述したフローチャートでは、携帯電子機器３０に対して配信された画面を認証サーバ２０により情報家電機器１０へ送信する場合について説明したが、これに限られず、情報家電機器１０に対して配信された画面を認証サーバ２０により携帯電子機器３０又は内部ネットワーク９０内の他の情報家電機器１０へ送信してもよい。これにより、ユーザはいつでも身近にある携帯電子機器３０又は内部ネットワーク９０内の他の情報家電機器１０により情報家電機器１０に係る画面を視認することができる。
【０１１６】
同様に、情報家電機器１０のステータス表示画面や設定画面等（例えば、エアコン、洗濯機、ステレオ等のステータス表示画面や、エアコンやビデオデッキの設定画面等）を他の情報家電機器１０や携帯電子機器３０で表示させてもよい。この場合、各表示画面や設定画面は、好適には、ＨＴＭＬ等のＷｅｂブラウザが認識して表示することができる形式で構成され、各情報家電機器１０や、携帯電子機器３０は、Ｗｅｂブラウザソフトウェアが稼動しており、これらの表示画面や設定画面を表示してよい。ここで、所定の情報家電機器１０や、携帯電子機器３０が、動画を表示する機能を有していない場合には、オリジナル画面を構成する動画を１分おき等定期的に、又はステータスが変化したとき等、周期的にキャプチャして、ＧＩＦ（登録商標）やＪＰＥＧ（登録商標）等の静止画像を生成して、情報家電機器１０や携帯電子機器３０が、当該静止画像を表示してもよい。
【０１１７】
［処理の流れ２］
次に、情報家電機器１０及び内部管理サーバ８０の処理の流れについて図１１のフローチャートを用いて説明する。ここで、情報家電機器１０及び内部管理サーバ８０は、認証サーバ２０において、ユーザ認証が行われており、携帯電子機器３０に対して配信された画面を情報家電機器１０へ転送する場合について説明する。
【０１１８】
まず、ステップＳ３１では、画面要求手段１１４は、セッションＩＤを送信するとともに、携帯電子機器３０に対して配信された画面の要求を通信手段１３０を介して内部管理サーバ８０に送信する。
【０１１９】
ステップＳ３２では、画面要求受信手段８１１は、画面要求手段１１４による画面の要求及びセッションＩＤを受信する。また、画面要求受信手段２１５は、受信したセッションＩＤにより情報家電機器１０を認証し、ステップＳ３３へ移る。
【０１２０】
ステップＳ３３では、特定手段８１２は、画面共有テーブル８２１を参照して、ステップＳ３１で要求された画面が配信された携帯電子機器３０と、当該画面を転送する転送先としての情報家電機器１０とを特定する。具体的には、特定手段８１２は、画面共有テーブル８２１を参照し、画面共有テーブル８２１に登録された、画面が配信された携帯電子機器３０の機器ＩＤ（図７に示す発信機器ＩＤ）と、この画面を表示する情報家電機器１０の機器ＩＤ（図７に示す受信機器ＩＤ）とを特定する。
【０１２１】
ステップＳ３４では、画面取得手段８１３は、ステップＳ３３で特定された、携帯電子機器３０に対して配信された画面を外部サーバ６０等から取得する。
【０１２２】
ステップＳ３５では、転送手段８１４は、ステップＳ３３で特定された画面を表示出力する情報家電機器１０へ、ステップＳ３４で取得された画面を送信する。これにより、携帯電子機器３０に対して配信された画面を、情報家電機器１０でも取得し、表示することができる。
【０１２３】
ステップＳ３６では、画面受信手段１１５は、内部管理サーバ８０から送信された画面を受信し、ステップＳ３７では、出力手段１４０に受信した画面を表示する。
【０１２４】
このようにして、情報家電機器１０及び携帯電子機器３０との間において、画面を出力する出力機器を共有することができるため、情報家電機器１０及び携帯電子機器３０それぞれの画面を内部ネットワーク９０内のいずれの情報家電機器１０及び携帯電子機器３０においても共有し、いつでも呼び出して表示出力することができる。
【０１２５】
したがって、ユーザはいつでも身近にある情報家電機器１０により携帯電子機器３０に対して配信された画面を視認することができる。また、情報家電機器１０の利用が促進され、情報家電機器１０に広告情報を配信する配信者にとっては、広告機会が増大し、広告収益を向上させることができる。
【０１２６】
なお、上述したフローチャートでは、携帯電子機器３０に対して配信された画面を認証サーバ２０により情報家電機器１０へ送信する場合について説明したが、これに限られず、情報家電機器１０に対して配信された画面を内部管理サーバ８０により携帯電子機器３０又は内部ネットワーク９０内の他の情報家電機器１０へ送信してもよい。これにより、ユーザはいつでも身近にある携帯電子機器３０又は内部ネットワーク９０内の他の情報家電機器１０により情報家電機器１０に対して配信された画面を視認することができる。
【０１２７】
［認証サーバ２０のハードウェア構成］
ここで図１２を参照して、図１に示す認証サーバ２０のハードウェア構成の一例について説明する。認証サーバ２０は、制御手段２１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０２０等複数のＣＰＵが追加されてもよい）、バスライン１０５５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０及びキーボード並びにマウス１０８０等の入力手段や表示装置１０８２を備える。
【０１２８】
Ｉ／Ｏコントローラ１０７０には、テープドライブ１０７２、ハードディスク１０７４、光ディスクドライブ１０７６、半導体メモリ１０７８等の記憶手段を接続することができる。ＢＩＯＳ１０６０は、認証サーバ２０の起動時にＣＰＵ１０１０が実行するブートプログラムや、認証サーバ２０のハードウェアに依存するプログラム等を格納する。
【０１２９】
記憶手段２２０を構成するハードディスク１０７４は、認証サーバ２０がサーバとして機能するための各種プログラム及び本発明の機能を実行するプログラムを記憶しており、さらに必要に応じて各種データベースを構成可能である。
【０１３０】
光ディスクドライブ１０７６としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク１０７７を使用する。
【０１３１】
光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。また、同様にテープドライブ１０７２に対応したテープメディア１０７１を主としてバックアップのために使用することもできる。
【０１３２】
認証サーバ２０に提供されるプログラムは、ハードディスク１０７４、光ディスク１０７７又はメモリーカード等の記録媒体に格納されて提供される。このプログラムは、Ｉ／Ｏコントローラ１０７０を介して、記録媒体から読み出され又は通信Ｉ／Ｆ１０４０を介してダウンロードされることによって、認証サーバ（Ｗｅｂサーバ）２０にインストールされ実行されてもよい。
【０１３３】
前述のプログラムは、内部又は外部の記憶媒体に格納されてもよい。ここで、記憶手段２２０を構成する記憶媒体としては、ハードディスク１０７４、光ディスク１０７７又はメモリーカードの他に、ＭＤ等の光磁気記録媒体、テープ媒体を用いることができる。また、専用通信回線やインターネットに接続されたサーバシステムに設けたハードディスク１０７４又は光ディスクライブラリー等の記憶装置を記録媒体として使用し、通信回線を介してプログラムを認証サーバ２０に提供してもよい。
【０１３４】
ここで、表示装置１０８２は、ユーザにデータの入力を受け付ける画面を表示したり、認証サーバ２０による演算処理結果の画面を表示したりするものであり、ブラウン管表示装置（ＣＲＴ）、液晶表示装置（ＬＣＤ）、有機ＥＬ（Ｅｌｅｃｔｒｏ  Ｌｕｍｉｎｅｓｃｅｎｃｅ）ディスプレイ、プラズマディスプレイ等のディスプレイ装置を含む。
【０１３５】
ここで、入力手段は、ユーザによる入力の受け付けを行うものであり、キーボード及びマウス１０８０等により構成してよい。また、通信Ｉ／Ｆ１０４０は、認証サーバ２０を専用ネットワーク又は公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【０１３６】
以上の例は、認証サーバ２０のハードウェア構成について主に説明したが、コンピュータに、プログラムをインストールして、そのコンピュータを認証サーバ２０として動作させることにより上記で説明した機能を実現することもできる。したがって、本発明において一実施形態として説明したＷｅｂサーバにより実現される機能は、上述の方法を当該コンピュータにより実行することにより、又は上述のプログラムを当該コンピュータに導入して実行することによっても実現可能である。
【０１３７】
［内部管理サーバ８０のハードウェア構成］
内部管理サーバ８０も、上述の認証サーバ２０と同様な構成で実現できる。
【０１３８】
［携帯電子機器３０のハードウェア構成］
次に、図１３を参照して図１に示す携帯電子機器３０のハードウェア構成の一例について説明する。携帯電子機器３０は、制御手段３１０を構成するＣＰＵ２０１０と、記憶手段３２０を構成するメモリ２０２０と、通信手段を構成するメインアンテナ２０３０と、各種の処理を行う通信処理部２０４０、画像処理部２０５０及び音響処理部２０６０と、撮像手段３４０を構成するカメラモジュール２０７０と、出力手段３６０を構成する表示装置２０８０、スピーカ２１００及び音声出力部２１２０と、入力手段３５０を構成する操作ボタン群２０９０及びマイク２１１０と、を備える。
【０１３９】
メインアンテナ２０３０は、所定の使用周波数帯（例えば、８００ＭＨｚ）で基地局５０と通信を行う。なお、本実施の形態では、所定の使用周波数帯として、８００ＭＨｚとしたが、これ以外の周波数帯であってもよい。また、メインアンテナ２０３０は、所定の使用周波数帯の他に、他の使用周波数帯（例えば、２ＧＨｚ）に対応できる、いわゆるデュアルバンド対応型による構成であってもよい。
【０１４０】
通信処理部２０４０は、メインアンテナ２０３０によって受信した信号を復調処理し、処理後の信号をＣＰＵ２０１０に供給し、また、ＣＰＵ２０１０から供給された信号を変調処理し、メインアンテナ２０３０を介して基地局５０に送信する。
【０１４１】
画像処理部２０５０は、ＣＰＵ２０１０の制御にしたがって、所定の画像処理を行い、処理後の画像データを図示しないドライバＩＣに出力する。ドライバＩＣは、画像処理部２０５０から供給された画像データをフレームメモリに蓄え、所定のタイミングで表示装置２０８０に出力する。また、画像処理部２０５０は、ＣＰＵ２０１０の制御にしたがって、撮像時においてカメラ部を介して連続的に取得される撮像画像のデータをドライバＩＣに出力することができる。これにより、撮像時において、表示装置２０８０には、カメラモジュール２０７０を介して被写体の画像が連続的に表示される。
【０１４２】
音響処理部２０６０は、ＣＰＵ２０１０の制御にしたがって、通信処理部２０４０から供給された信号に対して所定の音声処理を行い、処理後の信号をスピーカ２１００に出力する。スピーカ２１００は、音響処理部２０６０から供給された信号を外部に出力する。また、音響処理部２０６０は、ＣＰＵ２０１０の制御にしたがって、マイク２１１０から入力された信号を処理し、処理後の信号を通信処理部２０４０に出力する。通信処理部２０４０は、音声処理部４３から供給された信号に所定の処理を行い、処理後の信号をメインアンテナ２０３０に出力する。
【０１４３】
カメラモジュール２０７０は、図示しないカメラ部を含んで構成される。カメラ部は、レンズ部と、撮像素子と、を有する。レンズ部を介して撮像素子に撮像された撮像画像は、ＣＰＵ２０１０に出力される。
【０１４４】
表示装置２０８０は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）等によって構成され、各種情報を表示する。
【０１４５】
操作ボタン群２０９０は、各種設定や電話帳機能やメール機能等の各種機能を作動させるための機能設定操作ボタンと、電話番号の数字やメール等の文字等を入力するための入力操作ボタンと、各種操作における決定やスクロール等を行う決定操作ボタン等から構成されている。また、スピーカ２１００は、音楽等を外部に出力し、音声出力部２１２０は、通話の相手側の音声を出力する。
【０１４６】
なお、上述の実施形態では、セッションＩＤと機器ＩＤとを含む第１の認証情報として二次元コードパターンを生成したが、第１の認証情報は二次元コードに限られず、携帯電子機器３０の撮像手段３４０で光学的に読み取り可能な情報であればよい。例えば、バーコードを撮像手段３４０で撮像したり、文字を光学的に認識するＯＣＲ（Ｏｐｔｉｃａｌ  Ｃｈａｒａｃｔｅｒ  Ｒｅｃｏｇｎｉｔｉｏｎ）を用いて文字を撮像手段３４０で撮像することにより認証情報を取得してもよい。
【０１４７】
また、上述の実施形態では、ユーザ認証情報として、光学的に読み取り可能な情報を出力手段１４０に表示したがこれに限られない。例えば、情報家電機器１０は、携帯電子機器３０が受信可能な音声信号を出力手段１４０により出力し、携帯電子機器３０は、この音声信号をマイク等で受信することによりユーザ認証情報を取得してもよい。
【０１４８】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１４９】
【図１】発明の好適な実施形態の一例に係るシステムの全体構成を示すブロック図である。
【図２】本発明の好適な実施形態の一例に係る情報家電機器の機能構成を示すブロック図である。
【図３】本発明の好適な実施形態の一例に係る認証サーバの機能構成を示すブロック図である。
【図４】セッションＩＤ管理テーブルを示す図である。
【図５】本発明の好適な実施形態の一例に係る携帯電子機器の機能構成を示すブロック図である。
【図６】本発明の好適な実施形態の一例に係る内部管理サーバの機能構成を示すブロック図である。
【図７】画面共有テーブルを示す図である。
【図８】本発明の好適な実施形態の一例に係る携帯電子機器及び認証サーバ並びに情報家電機器の処理の流れを示すフローチャートである。
【図９】本発明の好適な実施形態の一例に係る携帯電子機器及び認証サーバ並びに情報家電機器の処理の流れを示すフローチャートである。
【図１０】二次元コードパターンの画面表示例を示す図である。
【図１１】本発明の好適な実施形態の一例に係る内部管理サーバ及び情報家電機器の処理の流れを示すフローチャートである。
【図１２】認証サーバのハードウェア構成の一例を示す図である。
【図１３】携帯電子機器のハードウェア構成の一例を示す図である。
【符号の説明】
【０１５０】
１  システム
１０  情報家電機器
２０  認証サーバ
３０  携帯電子機器
４０  ネットワーク
５０  基地局
６０  外部サーバ
７０  ゲートウェイ
８０  内部管理サーバ
９０  内部ネットワーク
【手続補正３】
【補正対象書類名】図面
【補正対象項目名】図８
【補正方法】変更
【補正の内容】
【図８】
2009237687.tif 000001
【手続補正４】
【補正対象書類名】図面
【補正対象項目名】図９
【補正方法】変更
【補正の内容】
【図９】
2009237687.tif 000002
【手続補正５】
【補正対象書類名】図面
【補正対象項目名】図１１
【補正方法】変更
【補正の内容】
【図１１】
2009237687.tif 000003